(57)【要約】  【課題】  専用の衣類を用いることなく、任意の衣類に装着でき、しかも、指圧部の位置を自在に調整できる腰用指圧器具を提供する。  【解決手段】  腰を押圧するための指圧部１５を衣類の腰周りに配置するための腰用指圧器具であって、一対の挟持片１１、１２が開閉可能に一端側の枢支部１３で連結されると共に、一方の挟持片１２に指圧部１５が設けられ、一対の挟持片１１、１２間で衣類の腰周り付近に配置される端部を挟持することにより装着されている。【選択図】  図１
2006180928.tif 000002
【特許請求の範囲】
【請求項１】
腰を押圧するための指圧部を衣類の腰周りに配置するための腰用指圧器具であって、
一対の挟持片が開閉可能に一端側の枢支部で連結されると共に、一方の挟持片に指圧部が設けられ、一対の挟持片間で衣類の腰周り付近に配置される端部を挟持することにより装着されることを特徴とする腰用指圧器具。
【請求項２】
一対の挟持片は、枢支部が設けられた端部の他端側に、閉じた状態で衣類を介して互いに係止可能な係止部を備えていることを特徴とする請求項１に記載の腰用指圧器具。
【請求項３】
指圧部が、弾性材料製の筒状体からなり、側周壁の一部の外表面に指圧面が設けられていることを特徴とする請求項１又は２に記載の腰用指圧器具。
【請求項４】
指圧面が、中間位置で外側に膨出して使用者の腰の曲線に相応する湾曲形状を呈することを特徴とする請求項３に記載の腰用指圧器具。
【発明の詳細な説明】
【技術分野】
【０００１】
本発明は、腰を押圧するための指圧部を衣類の腰周りに配置して、腰を指圧部により押圧することで指圧効果を得るための腰用指圧器具に関するものである。
【背景技術】
【０００２】
人体のツボ等を押圧して指圧効果を得るために、突起等の指圧部を備えた各種の物品が多数提案されており、衣類に指圧部を設けて、その指圧部により腰を押圧するものとして、例えば、下記特許文献１乃至は３のようなものが知られている。
【０００３】
特許文献１では、腹帯の背面側の内側に貼り合せ布を配置し、この貼り合せ布にツボを押圧する駒器具を接合した構成を有する「腰・背筋のツボを自在に選び押圧する腹帯・駒器具」が提案されている。
【０００４】
特許文献２の器具では、肌着の一部を二重にしてセラミック本体を配置し、セラミック本体による遠赤外線の効果と共に、セラミック本体の厚みを利用して指圧効果を得るツボマッサージ肌着が提案されている。
【０００５】
特許文献３は、衣類の内側に接着や編み込みやボタン留めなどの方法で、ツボを指圧するための突起を取り付けた構成を有する指圧着が提案されている。
【０００６】
これらでは、何れも突起等の指圧部が衣類に配置されているので、その衣類を着衣した状態で、指圧部によりツボを押圧することができ、指圧効果を得ることが期待できる。
【０００７】
【特許文献１】特開平１１−２７６５４６号公報
【特許文献２】特開２００３−１８０７９４号公報
【特許文献３】特開２００２−５２０６２号公報
【発明の開示】
【発明が解決しようとする課題】
【０００８】
しかし、上記のように衣類に指圧部を配置するものでは、予め衣類に指圧部を装着し、或いは、衣類に指圧部を配置するための貼り合せファスナやボタン等の手段を設けなければならない。そのため、指圧部を配置可能な専用の衣類が必要で、使用し難いという問題点があった。
【０００９】
また、衣類に指圧部を配置するための手段を設けた場合、指圧部の装着位置を広い範囲で調整可能にするためには、その手段を多数設けたり、広い範囲に設けなければならず、指圧部の位置を調整し難いという問題点もあった。
【００１０】
本発明では、専用の衣類を用いることなく、任意の衣類に装着でき、しかも、指圧部の位置を自在に調整できる腰用指圧器具を提供することを課題とする。
【課題を解決するための手段】
【００１１】
本発明の請求項１は、腰を押圧するための指圧部を衣類の腰周りに配置するための腰用指圧器具であって、一対の挟持片が開閉可能に一端側の枢支部で連結されると共に、一方の挟持片に指圧部が設けられ、一対の挟持片間で衣類の腰周り付近に配置される端部を挟持することにより装着されることを特徴とする。
【００１２】
本発明の請求項２は、一対の挟持片は、枢支部が設けられた端部の他端側に、閉じた状態で衣類を介して互いに係止可能な係止部を備えていることを特徴とする。
【００１３】
本発明の請求項３は、指圧部が弾性材料製の筒状体からなり、側周壁の一部の外表面に指圧面が設けられていることを特徴とする。
【００１４】
本発明の請求項４は、指圧面が中間位置で外側に膨出して使用者の腰の曲線に相応する湾曲形状を呈することを特徴とする。
【発明の効果】
【００１５】
請求項１に記載の腰用指圧器具によれば、一対の挟持片が開閉可能に一端側の枢支部で連結されているので、枢支部を中心に一対の挟持片を互いに離間させると、枢支部が設けられた端部の他端側を拡開することができる。そのため、衣類の腰周り付近に配置された端部側の端縁から、一方の挟持片を衣服の内側に配置すると共に他方の挟持片を衣服の外側に配置して、衣類の腰周り付近の任意の位置でこれらの挟持片を閉じれば、腰用指圧器具を容易に装着することができ、挟持片に設けられた指圧部を任意の位置に自在に配置することが可能である。
【００１６】
しかも、一対の挟持片間で衣類を挟持することで装着できるので、衣類には指圧部を配置するための手段を何ら設ける必要はなく、専用の衣類が不要である。
従って、専用の衣類を用いることなく、任意の衣類に装着でき、しかも、指圧部の位置を自在に調整できる腰用指圧器具を提供することが可能である。
【００１７】
請求項２に記載の腰用指圧器具では、一対の挟持片の枢支部が設けられた端部の他端側に、閉じた状態で衣類を介して互いに係止可能な係止部を備えているので、装着状態で着衣或いは脱衣などを行っても、腰用指圧器具の位置ズレや脱落を防止することができ、使い勝手がよい。
【００１８】
請求項３に記載の腰用指圧器具では、指圧部が弾性材料製の筒状体からなり、側周壁の一部の外表面に指圧面が設けられているので、内部の中空部が潰れることにより側周壁が弾性変形し易く、そのため、立体的形状を有する腰周りに側周壁の広い範囲を接触させ易い。しかも、中空部を有しているため、変形量が異なっていても、弾性変形による押圧する力の差が小さく、腰を広い範囲で適切な強度で押圧し易い。
【００１９】
請求項４に記載の腰用指圧器具では、指圧面が中間位置で外側に膨出して使用者の腰の曲線に相応する湾曲形状を呈するので、装着状態で指圧面により使用者の腰を指圧し易く、筒状体の広い範囲で指圧効果を得易い。
【発明を実施するための最良の形態】
【００２０】
この実施の形態の腰用指圧器具は、図１に示すように、一対の挟持片としての第１挟持プレート１１と第２挟持プレート１２とが、一端側の枢支部としての開閉連結部１３により開閉可能に連結されると共に、第２挟持プレート１２には、円筒形状の指圧部としての筒状成形体１５が固定された構成を有している。第１挟持プレート１１及び第２挟持プレート１２の開閉連結部１３とは他端側に、これらが閉じた状態で互いに係止可能な係止部としての開閉固定部１７を備えている。
ここでは、第１挟持プレート１１、第２挟持プレート１２は、金属板、金属成形体、金属ワイヤ、樹脂板、樹脂成形体などの任意の材料から形成でき、この実施の形態では、第１挟持プレート１１及び第２挟持プレート１２は、一枚の金属等の板状体の板金成形体からなっている。また、筒状成形体１５は、樹脂、ゴム等の弾性材料、金属、木材などの任意の材料から形成でき、この実施の形態では、筒状ゴム成形体からなっている。
【００２１】
第１挟持プレート１１は、図２及び図３に示すように、長手方向に沿って両端が折り返された帯板状の第１挟持部としての第１中間プレート１１ａと、第１中間プレート１１ａの一端側の開閉連結部１３に拡幅して折り曲げて設けられ、第１中間プレート１１ａに対して第１の角度θ１で傾斜した板状の枢支片としての連結片１１ｂと、第１中間プレート１１ａの他端側の開閉固定部１７に折り返して側面視略三角形状に設けられた開閉固定雌部１１ｃとを備えている。
【００２２】
第２挟持プレート１２は、図４乃至は図６に示すように、第１中間プレート１１ａと対向する位置に配置されて、第１中間プレート１１ａより幅広の帯板状の第２中間プレート１２ａと、第２中間プレート１２ａの一端側の開閉連結部１３に折り返すことにより側面視略逆三角形状に設けられて、第１中間プレート１１ａの連結片１１ｂを揺動可能に収容する収容部としての連結収容部１２ｂと、第２中間プレート１２ａの他端側の開閉固定部１７に開閉固定雌部１１ｃと同一幅で面状に設けられた開閉固定雄部１２ｃとを備えている。
【００２３】
第２中間プレート１２ａの第１中間プレート１１ａ側には、筒状成形体１５の側周壁１２ｂの一部を配置するための成形体配置部１２ｄが設けられている。成形体配置部１２ｄの一端側には、連結収容部１２ｂの一部を折り曲げることにより形成された支持片１２ｆが設けられると共に、他端側には、連結収容部１２ｂから連続して形成された支持片１２ｇが設けられている。
【００２４】
筒状成形体１５は、第２中間プレート１２ａが中空部１５ａを貫通した状態で、側周壁１５ｂの一方側の部位が成形体配置部１２ｄに収容配置され、両端部が成形体配置部１２ｄの両側壁１２ｈにより支持されると共に、側周壁１５ｂの第１挟持プレート１１側の外周面が支持片１２ｆ、１２ｇにより支持された状態で、固定されている。
【００２５】
ここでは、成形体配置部１２ｄの両側壁１２ｈ間の距離が筒状成形体１５の両端部間の長さより短く形成されており、成形体配置部１２ｄに収容配置された側周壁１５ｂが長さ方向に圧縮されている。そのため、側周壁１５ｂの成形体配置部１２ｄに収容配置された部位と対向する部位の外表面である指圧面１５ｃは、中間位置１５ｄが外側に膨出しており、これにより使用者の腰の曲線に相応する湾曲形状となっている。
【００２６】
開閉連結部１３には、図５及び図６に示すように、第２挟持プレート１２の略逆三角形状の連結収容部１２ｂの外側に配置される外側壁１２ｋの中央に、第１挟持プレート１１の第１中間プレート１１ａの幅より大きく、且つ、連結片１１ｂの幅より狭い開口部１２ｉが設けられている。第１挟持プレート１１はこの開口部１２ｉを貫通した状態で配置されており、第１挟持プレート１１の連結片１１ｂが連結収容部１２ｂ内に収容されている。
【００２７】
この実施の形態では、開口部１２ｉは第２挟持プレート１２の連結収容部１２ｂに相当する部位を、第１挟持プレート１１側の下辺部１２ｊが連続するように切断して折り曲げることにより形成されている。また、この折り曲げられた部位により、筒状成形体１５を支持する支持片１２ｆが形成されている。
【００２８】
このような開閉連結部１３では、図５に示すように、連結収容部１２ｂが中空の略逆三角形状を呈するため、連結片１１ｂが連結収容部１２ｂ内で下辺部１２ｊ側を支点にして揺動でき、これにより第１挟持プレート１１と第２挟持プレート１２とが開閉連結部１３を中心に開閉可能となっている。
【００２９】
ここでは、略逆三角形状の連結収容部１２ｂの外側壁１２ｋが、第２中間プレート１２ａに対して、第１挟持プレート１１の第１中間プレート１１ａに対する連結片１１ｂの角度θ１より小さい角度θ２を有している。
連結収容部１２ｂの内側壁１２ｍは、外側壁１２ｋの角度θ２より小さく、且つ、第２中間プレート１２ａに対して、第１挟持プレート１１の第１中間プレート１１ａに対する連結片１１ｂの角度θ１より所定角度小さい角度θ３を有している。
【００３０】
そのため、第１挟持プレート１１と第２挟持プレート１２とが拡開されると、連結収容部１２ｂの内側壁１２ｍに第１挟持プレート１１の連結片１１ｂが当接し、角度θ１と角度θ３との差により、第１挟持プレート１１と第２挟持プレート１２とが所定角度拡開されて、それ以上の展開が規制される。
【００３１】
一方、第１挟持プレート１１と第２挟持プレート１２とが略平行となるように完全に閉じられると、連結収容部１２ｂの外側壁１２ｋに第１挟持プレート１１の連結片１１ｂが当接し、角度θ１と角度θ２との僅かな差により、第１挟持プレート１１が僅かに弾性変形して開く側に付勢される。
【００３２】
一方、開閉固定部１７には、図５に示すように、第１挟持プレート１１の開閉固定雌部１１ｃの折り返して形成された先端部１１ｄが、後述する第２挟持プレート１２の開閉固定雄部１２ｃの先端部１２ｅと当接可能な位置に配置されると共に、第１中間プレート１１ａとの間に開閉固定雄部１２ｃの厚さより若干大きい間隙を有して配置されている。そのため、第１挟持プレート１１と第２挟持プレート１２とが略平行となるように完全に閉じられた状態では、第２挟持プレート１２の開閉固定雄部１２ｃが収容配置される。このとき、第１挟持プレート１１が開く側に付勢されているため、開閉固定雌部１１ｃの先端部１１ｄに第２挟持プレート１２の開閉固定雄部１２ｃの先端部１２ｅが圧接され、開閉固定部１７の係止状態が安定して維持される。
【００３３】
このような開閉固定部１７では、第１挟持プレート１１の開閉固定雌部１１ｃから第２挟持プレート１２の開閉固定雄部１２ｃを離脱させるには、開閉固定雄部１２ｃの先端部１２ｅが開閉固定雌部１１ｃの先端部１１ｄより開閉連結部１３側となるように、第１挟持プレート１１の開閉固定雌部１１ｃを弾性変形させればよい。
一方、第１挟持プレート１１の開閉固定雌部１１ｃに第２挟持プレート１２の開閉固定雄部１２ｃを係止するには、第２挟持プレート１２の開閉固定雄部１２ｃの先端部１２ｅを、第１挟持プレート１１の開閉固定雌部１１ｃに当接させて弾性変形させつつスライドさせればよい。
【００３４】
次に、このような構成の腰用指圧器具を衣類としての下穿きに装着して使用する方法について説明する。
まず、図７及び図８に示すように、第１挟持プレート１１と第２挟持プレート１２とを開閉連結部１３を中心に拡開させ、下穿きＰを着衣した状態で、下穿きＰの腰周り付近に配置された端部の端縁Ｐａから、筒状成形体１５が固定された第２挟持プレート１２を開閉固定雄部１２ｃ側を下向きにして下穿きＰの内側に挿入すると共に、第１挟持プレート１１を開閉固定雌部１１ｃ側を下向きにして下穿きＰの外側に配置する。
【００３５】
そして、筒状成形体１５の指圧面１５ｃを、腰の指圧効果を付与したいツボ等の部位に対応する位置に配置する。その際、開閉連結部１３が下穿きＰの端縁Ｐａの上方に配置されているため、開閉連結部１３を端縁Ｐａに掛け下げることができ、容易に装着操作を行うことができる。
【００３６】
その後、第１挟持プレート１１と第２挟持プレート１２とを、開閉連結部１３を中心に閉じ、第１挟持プレート１１の第１中間プレート１１ａ及び開閉固定雌部１１ｃと、第２挟持プレート１２の第２中間プレート１２ａ及び筒状成形体１５の側周壁１５ｂ並びに開閉固定雄部１２ｃとの間に下穿きＰの端部側を挟持させ、第１挟持プレート１１の開閉固定雌部１１ｃと第２挟持プレート１２の開閉固定雄部１２ｃとを係止させる。この実施の形態では、図８に示すように、２つの腰用指圧器具を下穿きＰに装着するため、このような装着操作を２度行うことにより装着を完了する。
【００３７】
この状態で下穿きＰを着衣していると、下穿きＰに装着されているゴムや生地の弾性等により筒状成形体１５の指圧面１５ｃを腰に圧接させることができ、指圧効果が得られる。下穿きＰに重ねてズボン等を着衣し、ベルト等を装着すれば、筒状成形体１５の指圧面１５ｃをより強く腰に圧接させることができる。更に、腰用指圧器具を装着状態で、座席に着座した場合には、座席の背もたれにより、更に強く腰に圧接させることができ、大きな指圧効果が得られる。
この腰用指圧器具では、筒状成形体１５の材質や、大きさ、厚さ等を調整して弾性力を調整することにより、筒状成形体１５の指圧面１５ｃによる指圧の程度を調整してもよい。
【００３８】
腰用指圧器具の装着状態では、腰用指圧器具が装着されていない通常の状態の下穿きＰと全く同様に着衣或いは脱衣などを行うことができる。同時に、下穿きＰの内部に配置されるため、装着した状態で外部から腰用指圧器具が視認されず、外観が良好に保たれる。
【００３９】
以上のような腰用指圧器具によれば、第１挟持プレート１１及び第２挟持プレート１２が開閉可能に一端側の開閉連結部１３で連結されているので、第１挟持プレート１１と第１挟持プレート１２とを互いに離間させると、開閉連結部１３が設けられた端部の他端側を拡開することができ、下穿きＰの腰周り付近に配置し、第１挟持プレート１１と第２挟持プレート１２とを閉じれば、下穿きＰの腰周り付近の任意の位置に容易に装着することができる。そのため、第２挟持プレート１２に固定された筒状成形体１５を任意の位置に自在に配置することが可能である。
しかも、第１挟持プレート１１と第２挟持プレート１２間で下穿きＰを挟持することにより装着できるので、下穿きＰには筒状成形体１５のような指圧部を配置するための手段を何ら設ける必要がなく、専用の下穿きが不要である。
【００４０】
ここでは、開閉固定部１７を備えているので、装着状態で着衣或いは脱衣などを行っても、腰用指圧器具の位置ズレや脱落を防止することができ、使い勝手がよい。
【００４１】
また、指圧部が筒状成形体１５からなり、第２挟持プレート１２が筒状成形体１５の中空部１５ａを貫通した状態で固定されているので、筒状成形体１５の一部が確実に第１挟持プレート１１と第２挟持プレート１２間に配置される。そのため、使用中に筒状成形体１５が脱落することを確実に防止することができ、第２挟持プレート１２に筒状成形体１５を固定し易いと共に、耐久性を確保し易い。
【００４２】
この筒状成形体１５は弾性材料からなり、側周壁１５ｂの一部の外表面に指圧面１５ｃが設けられているので、中空部１５ａが潰れて側周壁が弾性変形し易く、そのため、立体的形状を有する腰周りに側周壁１５ｂの広い範囲を接触させ易い。しかも、変形量が異なっても、弾性変形による押圧する力の差が小さく、中空部１５ａの材質、肉厚、直径等に応じて、腰を広い範囲で適切な強度で押圧し易い。
特に、筒状成形体１５での指圧面１５ｃが中間位置１５ｄで外側に膨出して使用者の腰の曲線に相応する湾曲形状を呈しているため、装着状態で指圧面１５ｃが使用者の腰の形状に対応し易く、筒状体の広い範囲でより指圧効果を得易い。
【００４３】
更に、この腰用指圧器具では、第１挟持プレート１１と第２挟持プレート１２が帯状体からなるので、装着中に外側から押圧されると、帯状体が腰周りに対応する下穿きＰの内面等の押圧面に沿って配置され易く、そのため、筒状成形体１５の指圧面１５ｃを腰に対して正しい向きに接触させることがて指圧効果を確保し易い。
【００４４】
なお、上記実施の形態では、衣類として下穿きＰに腰用指圧器具を装着した例について説明したが、衣類としては、各種の肌着、直接身体に接触しない各種の上着、腹帯、ベルトなど、身体に着衣できて腰周り付近に端部を有する衣類であれば、上記と同様に腰用指圧器具を使用することが可能である。
ズボン、スカート等の下肢用の衣類では、腰周りに配置される端部の端縁が着衣した状態で上向きに配置されるため、一端側の開閉連結部１３で連結された状態の第１挟持プレート１１と第２挟持プレート１２を下向きに配置でき、開閉連結部１３を衣類の端縁に支持させて装着することができるため、装着操作が容易になり好ましい。
【００４５】
また、上記実施の形態では、衣類の内側及び外側並びに端部の端縁として、衣類自体の内側及び外側並びに端縁をそのまま利用したが、腰用指圧器具を所望の位置に配置するために、衣類を折り曲げる等により、適宜の位置に
衣類の内側及び外側並びに端部の端縁を形成することも可能である。
【００４６】
上記の腰用指圧器具では、挟持片として第１挟持プレート１１と第２挟持プレート１２を一対設けた例について説明したが、その数は何ら限定されず、複数対の挟持片を備えることも可能である。
【図面の簡単な説明】
【００４７】
【図１】本発明の実施の形態に係る腰用指圧器具の断面図である。
【図２】図１の腰用指圧器具の第１挟持プレートの平面図である。
【図３】図１の腰用指圧器具の第１挟持プレートの正面図である。
【図４】図１の腰用指圧器具の第２挟持プレートの平面図である。
【図５】図１の腰用指圧器具の第２挟持プレートの断面図である。
【図６】図１の腰用指圧器具の第２挟持プレートの左側面図である。
【図７】図１の腰用指圧器具の装着方法を説明する図である。
【図８】図１の腰用指圧器具の装着状態を示す斜視図である。
【符号の説明】
【００４８】
１１      第１挟持プレート
１１ａ    第１中間プレート
１１ｂ    連結片
１２      第２挟持プレート
１２ａ    第２中間プレート
１２ｂ    連結収容部
１３      開閉連結部
１５      筒状成形体
１５ａ    中空部
１５ｂ    側周壁
１５ｃ    指圧面
１７      開閉固定部１７
Ｐ        下穿き
【図１】
2006180928.tif 000003
【図２】
2006180928.tif 000004
【図３】
2006180928.tif 000005
【図４】
2006180928.tif 000006
【図５】
2006180928.tif 000007
【図６】
2006180928.tif 000008
【図７】
2006180928.tif 000009
【図８】
2006180928.tif 000010